(57)【要約】【課題】タブ付きの蓋材で密封された、カップ型容器において、タブがつまみやすく、また摘めない場合でも開封可能な、易開封機能つきカップ型容器を提供することを課題とする。【解決手段】カップ型容器において、容器本体は、開口部を有しており、開口部は、フランジを、開口部を取り囲む周縁部に有しており、フランジは、その一部に、切り欠き状の凹みを有しており、切り欠き状の凹みと開口部との間には、フランジに上向きの凸部を有しており、蓋材は、開口部とそのフランジとを覆っており、蓋材と容器本体とは、フランジでシールされて、カップ型容器は密封されており、蓋材は、切り欠き状の凹みの部分で、フランジから容器外側に突き出したタブを有しており、突き出したタブには、切り欠き状の凹みに位置を合わせた、穴があるか、もしくは穴あけ可能な加工が施してあることを特徴とする、易開封機能つきカップ型容器である。【選択図】図１
2020097422.tif 000002
【特許請求の範囲】
【請求項１】
蓋材と容器本体とからなるカップ型容器において、
容器本体は、開口部を有しており、
開口部は、フランジを、開口部を取り囲む周縁部に有しており、
フランジは、その一部に、切り欠き状の凹みを有しており、
切り欠き状の凹みと開口部との間には、フランジに上向きの凸部を有しており、
蓋材は、開口部とそのフランジとを覆っており、
蓋材と容器本体とは、フランジでシールされて、カップ型容器は密封されており、
蓋材は、切り欠き状の凹みの部分で、フランジから容器外側に突き出したタブを有しており、
突き出したタブには、切り欠き状の凹みに位置を合わせた、穴があるか、もしくは穴あけ可能な加工が施してあることを特徴とする、易開封機能つきカップ型容器。
【請求項２】
前記フランジの上向きの凸部は、切り欠き状の凹みまでの距離と、凸部の高さが等しいことを特徴とする、請求項１に記載の易開封機能つきカップ型容器。
【請求項３】
前記開口部の形状は略四角形であり、四隅の内１以上の隅において、フランジに切り欠き状の凹みを有することを特徴とする、請求項１または請求項２に記載の易開封機能つきカップ型容器。
【請求項４】
前記フランジに切り欠き状の凹みを有していない部分においても、シール部から容器外側に突き出したタブを有していることを特徴とする、請求項１〜請求項３のいずれかに記載の易開封機能つきカップ型容器。
【請求項５】
前記蓋材は、金属箔もしくは無機化合物の蒸着層からなるガスバリア層を含む層構成であることを特徴とする、請求項１〜請求項４のいずれかに記載の易開封機能つきカップ型容器。
【請求項６】
前記容器本体は、ガスバリア層を層構成に含むか、もしくは表面に設けてあることを特徴とする、請求項１〜請求項５のいずれかに記載の易開封機能つきカップ型容器。
【発明の詳細な説明】
【技術分野】
【０００１】
本発明は、容器に関するものである。特に蓋付きのカップ型容器において、蓋を開けて内容物を露出させ、取り出しをしようとする際に、より容易に開封できる、易開封機能つきカップ型容器に関するものである。
【背景技術】
【０００２】
たとえば、紙やプラスチックを素材とした、カップ型容器に食品が充填されていて、開口部は、紙やプラスチックフィルムを素材とした蓋でシール、密封された商品は、その利便性、経済性から、さまざまなものが商品として、小売店、コンビニエンスストアなどの棚を賑わしている。
【０００３】
カップ型容器について食品を例にとれば、たとえば、味噌のカップ包装があり、ヨーグルトのカップ包装、ゼリーやプリンなどのデザート類のためのアセプティック包装、また米飯の保存、加熱調理が可能な無菌包装、あるいはカップラーメンのカップ包装などがある。
【０００４】
そのほかにも、シリンジなどの医療関連や、インクカートリッジ、トナー容器等の工業製品、あるいはウエットティッシュや洗剤などのトイレタリー用品など、多種多様な分野で商品化されており、カップ型容器は、現代の日常生活には欠くことのできない存在となっている。
【０００５】
これらは多くの場合、保存中は密封状態の維持が求められ、内容物を取り出したい場合には、蓋を容易に開封できることが望まれる。このような一見して二律背反とも言える要求に応えて、イージーピール包装技法が発達してきた。
【０００６】
一方で、より便利さを求める消費者の増加、あるいは高齢化社会の到来に伴って、より扱い易く、開封などにも大きな力を必要としない、易開封に対するニーズ、所謂バリアフリーニーズも高まっている。
【０００７】
易開封に関しては、特許文献１には、容器のシール箇所であるフランジの形状に工夫を加えて易開封を実現することが提案されているが、蓋部を指で摘んで開封することを前提にしたものであって、指で摘むことが困難な場合には対応ができず、バリアフリーという側面からは、十分な配慮がなされているものではなかった。
【先行技術文献】
【特許文献】
【０００８】
【特許文献１】特開平９−２６７８６４号公報
【発明の概要】
【発明が解決しようとする課題】
【０００９】
本発明はかかる状況に鑑みてなされたものであり、タブ付きの蓋材で密封された、カップ型容器において、タブが摘みやすく、また摘めない場合でも開封可能な、易開封機能つきカップ型容器を提供することを課題とする。
【課題を解決するための手段】
【００１０】
上記の課題を解決するための手段として、請求項１に記載の発明は、
蓋材と容器本体とからなるカップ型容器において、
容器本体は、開口部を有しており、
開口部は、フランジを、開口部を取り囲む周縁部に有しており、
フランジは、その一部に、切り欠き状の凹みを有しており、
切り欠き状の凹みと開口部との間には、フランジに上向きの凸部を有しており、
蓋材は、開口部とそのフランジとを覆っており、
蓋材と容器本体とは、フランジでシールされて、カップ型容器は密封されており、
蓋材は、切り欠き状の凹みの部分で、フランジから容器外側に突き出したタブを有しており、
突き出したタブには、切り欠き状の凹みに位置を合わせた、穴があるか、もしくは穴あけ可能な加工が施してあることを特徴とする、易開封機能つきカップ型容器である。
【００１１】
また、請求項２に記載の発明は、
前記フランジの上向きの凸部は、切り欠き状の凹みまでの距離と、凸部の高さが等しいことを特徴とする、請求項１に記載の易開封機能つきカップ型容器である。
【００１２】
また、請求項３に記載の発明は、
前記開口部の形状は略四角形であり、四隅の内１以上の隅において、フランジに切り欠き状の凹みを有することを特徴とする、請求項１または請求項２に記載の易開封機能つきカップ型容器である。
【００１３】
また、請求項４に記載の発明は、
前記フランジに切り欠き状の凹みを有していない部分においても、シール部から容器外側に突き出したタブを有していることを特徴とする、請求項１〜請求項３のいずれかに記載の易開封機能つきカップ型容器である。
【００１４】
また、請求項５に記載の発明は、
前記蓋材は、金属箔もしくは無機化合物の蒸着層からなるガスバリア層を含む層構成であることを特徴とする、請求項１〜請求項４のいずれかに記載の易開封機能つきカップ型容器である。
【００１５】
また、請求項６に記載の発明は、
前記容器本体は、ガスバリア層を層構成に含むか、もしくは表面に設けてあることを特徴とする、請求項１〜請求項５のいずれかに記載の易開封機能つきカップ型容器である。
【発明の効果】
【００１６】
本発明によれば、タブ付きの蓋材で密封された、カップ型容器において、タブが摘みやすく、また摘めない場合でも開封可能な、易開封機能つきカップ型容器を提供することが可能である。
【００１７】
すなわち、開口部は、一部に切り欠き状の凹みを有しており、蓋材は、この切り欠き状の凹みの部分で、シール部から容器外側に突き出したタブを有していることによって、タブを手指で摘みやすくなる効果がある。
【００１８】
また、シール部から容器外側に突き出したタブには、穴が設けてあるか、もしくは穴あけ可能な加工が施してあることによって、棒状のもの、たとえば箸やスプーンの柄などを穴に差込んで、蓋材を引き開けることが可能になり、小さな力でも容易に開封が可能である。
【００１９】
また、棒状のもの、たとえば箸やスプーンの柄などを穴に差込んで、蓋材を引き開ける場合において、蓋材に覆われたフランジの上向きの凸部を梃子の支点として用いることが
でき、より容易な開封が可能である。
【００２０】
また、特に請求項２に記載の発明によれば、フランジの表面の上向きの凸部は、切り欠き状の凹みまでの距離と、凸部の高さが等しいことによって、より効果的に梃子の力を利用した開封を可能にして、易開封機能つきカップ型容器を実現することができる。
【００２１】
また、特に請求項３に記載の発明によれば、開口部の形状は略四角形であり、四隅の内１以上の隅において、フランジに切り欠き状の凹みを有することによって、複数の方向からの開封が可能となり、利便性に優れた、易開封機能つきカップ型容器を実現することができる。
【００２２】
またフランジに切り欠き状の凹みを有することによって、手指でタブを摘んで開封しようとする際にも、よりつまみやすい利点を有する。
【００２３】
それに加えて、四角形状の容器は、内容物を効率的に収納できるために、利便性が高く、また、容器としても輸送効率が高いなどの利点があり、一般的にも使用される頻度が高い。したがって、四角形の形状において、本発明を実現することは、より幅広い商品展開を可能にすることに繋がる。
【００２４】
また特に請求項４に記載の発明によれば、フランジに切り欠き状の凹みを有していない部分においても、シール部から容器外側に突き出したタブを有していることによって、より小さな力で開封可能な、易開封機能つきカップ型容器を提供することが可能であるとともに、このタブによる従来の開封方法も選択することが可能であり、多様性に富んだカップ型容器とすることが可能である。
【００２５】
また特に請求項５に記載の発明によれば、蓋材は、金属箔もしくは無機化合物の蒸着層からなるガスバリア層を含む、層構成であることによって、内容物の保存性を高めたり、外部環境による変質を防止するなどの機能を付与することが可能である。
【００２６】
また特に請求項６に記載の発明によれば、容器本体は、ガスバリア層を層構成に含むか、もしくは表面に設けてあることによって、内容物の保存性を高めたり、外部環境による変質を防止するなどの機能を付与することが可能である。
【図面の簡単な説明】
【００２７】
【図１】図１は、本発明に係る易開封機能つきカップ型容器の、一実施態様を説明するための斜視模式図である。
【図２】図２は、本発明に係る易開封機能つきカップ型容器の開封の一例を説明するための断面模式図である。
【図３】図３は、本発明に係る易開封機能つきカップ型容器の開封の他の例を説明するための断面模式図である。
【図４】図４は、本発明に係る易開封機能つきカップ型容器の凸部について、より詳細に説明するための断面模式図である。
【図５】図５は、発明に係る易開封機能つきカップ型容器の、開封直前の状態を具体的に説明するための断面模式図である。
【図６】図６は、発明に係る易開封機能つきカップ型容器の、開封作業の状態を具体的に説明するための断面模式図である。
【図７】図７は、本発明に係る易開封機能つきカップ型容器の、実施態様のうち容器本体が四角形の例を説明するための斜視模式図である。
【図８】図８は、本発明に係る易開封機能つきカップ型容器本体が四角形である実施態様のうち、タブの形状が異なる例を説明するための斜視模式図である
【図９】図９は、発明に係る易開封機能つきカップ型容器が四角形である実施態様の開封前の状態を具体的に説明するための斜視模式図である。
【図１０】図１０は、本発明に係る易開封機能つきカップ型容器が四角形である実施態様の開封作業の状態を具体的に説明するための斜視模式図である。
【図１１】図１１は、本発明に係る易開封機能つきカップ型容器のタブが、丸形状である例を説明するための斜視模式図である。
【図１２】図１２は、本発明に係る易開封機能つきカップ型容器のタブの穴が、ミシン目である例を説明するための斜視模式図である。
【図１３】図１３は、本発明に係る易開封機能つきカップ型容器のタブが、四角形状である例を説明するための斜視模式図である。
【図１４】図１４は、本発明に係る易開封機能つきカップ型容器のタブが、三角形状である例を説明するための斜視模式図である。
【発明を実施するための形態】
【００２８】
以下、本発明を図１〜図１４を参照しながら、更に詳しい説明を加える。ただし本発明は、ここに示す例にのみ限定されるものではない。本発明は、請求項によって限定されるものである。
【００２９】
図１は、本発明に係る易開封機能つきカップ型容器の、一実施態様を説明するための斜視模式図である。
【００３０】
本発明は、易開封機能つきカップ型容器（１００）に関するものであって、カップ型容器（１００）は蓋材（１０）と容器本体（２０）とからなる。図１に示す例においては 容器本体（２０）は、上から見て楕円形の形状を持つ例である。
【００３１】
容器本体（２０）は、開口部を有しており、開口部はフランジを、開口部を取り囲む周縁部に有している。
【００３２】
フランジは、その一部に、切り欠き状の凹み（２３）を有しており、切り欠き状の凹みと開口部との間には、フランジに上向きの凸部（２５）を有している。図１に示す例においては、この上向きの凸部（２５）を、蓋材（１０）が覆ってシールされている状態である。
【００３３】
蓋材（１０）は、開口部とその周縁のフランジとを覆っており、蓋材（１０）と容器本体（２０）とは、フランジでシールされてシール部（２１）を形成して、カップ型容器（１００）は密封されている。
【００３４】
蓋材（１０）は、切り欠き状の凹み（２３）の部分で、フランジからカップ型容器（１００）の外側に突き出したタブ（１１）を有しており、突き出したタブ（１１）には、切り欠き状の凹み（２３）に位置を合わせた、穴（１２）があるか、もしくは穴あけ可能な加工が施してあるのであって、図１に示す例においては、穴（１２）を設けてある例である。
【００３５】
図２は、本発明に係る易開封機能つきカップ型容器の、開封の一例を説明するための断面模式図である。
【００３６】
この断面図は、図１において示されるＡ−Ｂ間を、縦方向に切り裂いて断面図にしたものである。
【００３７】
本発明による易開封機能つきカップ型容器（１００）は、切り欠き状の凹み（２３）の
部分で、フランジ（２４）からカップ型容器（１００）外側に突き出したタブ（１１）を手指で摘まんで、蓋材（１０）全体を、カップ型容器（１００）の斜め上方に引き上げることによって、一般のカップ型容器と同様に開封して、内容物（４０）を取り出すことが可能である。
【００３８】
特に、フランジ（２４）に、切り欠き状の凹み（２３）があることによって、手指でタブ（１１）を摘んで開封しようとする際には、タブ（１１）を摘む作業はより容易に行なうことができる。
【００３９】
しかしながら、この方法による開封においては、手指でタブ（１１）をつかむ作業が必要であり、また一定の力を加えることが必要であって、バリアフリーの観点からは十分な配慮がしてあるとはいえない。
【００４０】
この点について、本発明においては、カップ型容器（１００）のタブ（１１）を摘んで開封する以外の方法によっても、カップ型容器（１００）の開封を容易に行うことを可能にしている。
【００４１】
図２で示す方法がそのひとつであり、本発明の特徴のひとつである、切り欠き状の凹み（２３）の部分でフランジ（２４）から容器外側に突き出したタブ（１１）には、切り欠き状の凹み（２３）に位置を合わせた穴（１２）を利用して、この穴（１２）、もしくは穴あけ可能な加工の部分に、棒（５０）を、蓋材（１０）の上側から差し込んでのち、開封する方法である。
【００４２】
棒（５０）を差し込むことに続いて、棒（５０）を図中矢印（５１）の方向に倒すことによって、棒（５０）は、フランジ（２４）の上向きの凸部（２５）の、頂点（２６）を支点とした梃子の原理で、タブの穴（１２）に作用して、棒（５０）に加えた小さな下向きの力で、穴（１２）の部分では、より大きな上向きの力となって、タブ（１１）をフランジ（２４）から剥離することが可能となる。
【００４３】
ただし、ここでは、棒（５０）を倒す前の状態であって、フランジ（２４）の上向きの凸部（２５）の頂点（２６）は、蓋材（１０）で覆われている状態である。
【００４４】
図３は、本発明に係る易開封機能つきカップ型容器の、開封の他の例を説明するための断面模式図である。
【００４５】
この断面図もまた、図１において示されるＡ−Ｂ間を、縦方向に切り裂いて断面図にしたものである。
【００４６】
図３で示す方法は、図２で示す方法とは異なる方法であり、本発明の特徴のひとつである、フランジ（２４）から容器外側に突き出したタブ（１１）の切り欠き状の凹み（２３）に位置を合わせた穴（１２）、を利用してこの穴（１２）、もしくは穴あけ可能な加工の部分に、棒（５０）を蓋材（１０）の下側から差し込んで開封する方法である。下側から差し込む点が、図２で示す例とは異なる点である。
【００４７】
それに続いて、棒（５０）を図中矢印（５２）の方向に引き上げることによって、棒（５０）は、フランジ（２４）の上向きの凸部（２５）の、頂点（２６）を支点とした梃子の原理で、タブ（１１）の穴（１２）に作用して、棒（５０）に加えた小さな上向きの力で、棒（５０）の先端は矢印（５３）の方向に移動する。
【００４８】
このとき、凸部（２５）の頂点（２６）を支点として、穴（１２）の部分の作用点にお
いて、タブ（１１）にはより大きな上向きの力が加わり、タブ（１１）をフランジ（２４）から剥離することが可能となる。
【００４９】
ただし図２と同様に、ここでは、フランジ（２４）の上向きの凸部（２５）の頂点（２６）が、蓋材（１０）で覆われている、剥離前の状態を示している。
【００５０】
棒（５０）には特段の限定を加えるものではなく、穴（１２）に差し込むことが可能な、剛性を有する棒状のものであれば使用可能で、身近にある箸などの木材や竹材でできたもののほか、たとえば金属製のスプーンやフォークなどの柄の部分なども、棒（５０）として用いることができる。
【００５１】
図４は、本発明に係る易開封機能つきカップ型容器の凸部について、より詳細に説明するための断面模式図である。
【００５２】
前述のように、フランジ（２４）の上向きの凸部（２５）、およびその頂点（２６）は、カップ型容器（１００）の易開封において、梃子の支点となって大きな役割を果たすが、我々は本発明を完成する過程において、鋭意検討を重ねた結果、フランジ（２４）の上向きの凸部（２５）、およびその頂点（２６）について、本発明の課題解決に、より効果的な形状を見出だすことができた。
【００５３】
これは、フランジ（２４）の上向きの凸部（２５）、およびその頂点（２６）において、上向きの凸部（２５）の高さ（Ｈ）は、凸部（２５）の外側の下端（３０）から、切り欠き状の凹み（２３）の端部（２７）までの、凹みまでの距離（Ｗ）と等しいときに、梃子の効果がより効果的に発揮でき、カップ型容器（１００）の梃子による易開封に最適であるというものである。
【００５４】
すなわち、上向きの凸部（２５）の高さ（Ｈ）と、凹みまでの距離（Ｗ）との関係であって、
高さ（Ｈ）＝  凹みまでの距離（Ｗ）
であることが望ましい。
【００５５】
また上向きの凸部（２５）の断面形状については、図４に示す、釣鐘型の断面形状は梃子の支点として効果的であるが、それ以外にも半円形や台形なども、上向きの凸部（２５）として好適に用いることができる。
【００５６】
本発明において、フランジ（２４）から、外側に突き出したタブ（１１）には、切り欠き状の凹み（２３）に位置を合わせた穴（１２）があるか、もしくは穴あけ可能な加工が施してあるのであって、図４中の円形囲い（４）の部分では、切り欠き状の凹み（２３）の端部（２７）は、タブ（１１）に設けられた穴（１２）の端部（２９）と一致していることが見て取れる。
【００５７】
この、切り欠き状の凹み（２３）の端部（２７）と、タブ（１１）に設けられた穴（１２）の端部（２９）とが一致している配置であることによって、易開封機構付きカップ型容器（１００）の開封においての梃子の作用はより効果的なものとなる。
【００５８】
これは穴（１２）が、穴あけ可能な加工である場合においても同様である。穴あけ可能な加工には、たとえばミシン目加工やハーフカット等の加工を用いることができる。この加工方法は、機械的に加工することもでき、あるいは、レーザー光の照射による加工を用いることもできる。
【００５９】
図５は、発明に係る易開封機能つきカップ型容器の、開封直前の状態を具体的に説明するための断面模式図である。
【００６０】
図５に示す例は、実際に棒（５０）をタブ（１１）の穴（１２）に、蓋材（１０）の上方から差し込んで、右手（６０）の手指で把持した部分を、矢印（５４）の方向に押し下げて、フランジ（２４）の上向きの凸部（２５）を支点にして、梃子を効かせている様子であり、棒（５０）の先端を矢印（５５）の方向に上昇させて、タブ（１１）を矢印（１３）の方向に持ち上げて、タブ（１１）をフランジ（２４）から剥離して、カップ型容器（１００）を開封しようとする場合である。
【００６１】
すでに右手（６０）は、図５に示す状態において、把持した部分を、矢印（５４）の方向に押し下げといるところであって、ここが梃子の力点（Ｐ）である。棒（５０）は凸部（２５）の頂点（２６）に接触しており、凸部（２５）は、梃子の支点（Ｆ）となっている状態である。
【００６２】
梃子の作用点（Ｅ）は、タブ（１１）の穴（１２）であって、図５に示す状態において、タブ（１１）は矢印（１３）の方向に持ち上げられつつあって、これに続いて起こる状況は、タブ（１１）の、フランジ（２４）の切り欠き状の凹み（２３）の部分からの剥離であり、それに続くカップ型容器（１００）の開封である。
【００６３】
図６は、発明に係る易開封機能つきカップ型容器の、開封作業の状態を具体的に説明するための断面模式図である。
【００６４】
図５に示す作業に続いて、フランジ（２４）の切り欠き状の凹み（２３）の部分からのタブ（１１）の剥離は、棒（５０）を矢印（５６）方向に引くことによって、切り欠き状の凹み（２３）部分をきっかけとして、蓋材（１０）全体のシール部（２１）の剥離となって広がり、フランジ（２４）は大きく露出する。すなわち開口部（２８）を形成することができる。
【００６５】
さらに手（６０）で把持した棒（５０）を、矢印（５７）方向に引くことによって、蓋材（１０）とフランジ（２４）との剥離は進行して、ついには易剥離機能付きカップ型容器（１００）の全体が開封される。
【００６６】
この開封によって蓋材（１０）を容器本体（２０）から分離することも可能であるが、開口部（２８）が、内容物の取り出しに十分である場合には、開封を途中の状態でとめておくことができる。
【００６７】
図７は、本発明に係る易開封機能つきカップ型容器の、実施態様のうち容器本体が四角形の例を説明するための斜視模式図である。
【００６８】
本発明はカップ型容器（１００）であって、易開封機能を有し、蓋材（１０）と容器本体（２０）とからなる。容器本体（２０）の形状は任意であって、多角形や円形もしくは図１、で示す楕円形であってもよい。図７に示す例は容器本体（２０）が、略正方形の四角形である例であり、したがって開口部（２８）、また蓋材（１０）も略正方形の四角形の例である。
【００６９】
それに加えて、四角形状の容器は、内容物を効率的に収納できるために、利便性が高い。また、容器それ自身としても積み重ねがしやすく、輸送効率が高いなどの利点があり、一般的にも使用される頻度が高い。したがって、四角形の形状において、本発明を実現することは、より幅広い商品展開を可能にする。
【００７０】
図７で示す例において、容器本体（２０）は、四角形状の開口部（２８）を有しており、開口部（２８）は、その周縁部にフランジ（２４）を有しており、蓋材（１０）は開口部（２８）とその周縁部のフランジ（２４）とを覆って、蓋材（１０）と容器本体（２０）とは、この周縁部のフランジ（２４）でシールされて、カップ型容器（１００）を密封することができる。
【００７１】
すなわち、タブ（１１）付きの蓋材（１０）で密封された、カップ型容器（１００）において、タブ（１１）が摘みやすく、また摘めない場合でも開封可能な、易開封機能つきカップ型容器（１００）を提供することが可能である。
【００７２】
図８は、本発明に係る易開封機能つきカップ型容器本体が四角形である実施態様のうち、タブの形状が異なる例を説明するための斜視模式図である。
【００７３】
図７、および図８に示す例においては、容器本体（２０）の形状、開口部（２８）の形状、および蓋材（１０）の形状は、略正方形の四角形である。図７に示す例おいては、タブ（１１）には、穴（１２）が設けてある例を示した。
【００７４】
一方、図８の中の、円形囲い（１）においては、タブ（１１）には、穴あけ可能な加工として、ミシン目（１５）を設けてある例を示す。このミシン目（１５）を切り裂くことによって、この部分に穴を形成することができる。本発明においては、穴（１２）、もしくは穴あけ可能な加工の、いずれも使用することができ、適宜選択すればよい。
【００７５】
また、本発明においては、図８の中の円形囲い（１）の形状に加えて、たとえば、容器本体（２０）を四角形として、四角形の四隅の内、１箇所以上の隅に切り欠き状の凹み（２３）を設けることができる。
【００７６】
これは図８の中の、円形囲い（２）で示されるものであり、これによって、複数の方向からの多様な方法による開封が可能となり、利便性に優れた易開封機能つきカップ型容器（１００）を実現することができる。ここで示す例においては、タブ（１６）に穴（１２）は設けていないために、タブ（１６）を手指で摘まんで、蓋材を引っ張って開封する方法をとることができるが、切り欠き状の凹み（２３）が設けてあることによって、タブ（１６）が摘みやすくなる利点がある。
【００７７】
また、本発明においては、図８の中の円形囲い（１）の形状に加えて、容器本体（２０）の開口部の、切り欠き状の凹み（２３）を有していない部分においても、シール部から容器外側に突き出したタブ（１７）を設けることができる。
【００７８】
これは図８の中の、円形囲い（３）で示す形状であって、この場合には、この部分の開封には、タブ（１７）を手指で摘まんで引っ張って開封する方法を用いることができ、従来の感覚と違和感なく開封を行うことも可能であって、開封の方法を選択することが可能になり、利便性に優れたカップ型容器（１００）を実現することができる。
【００７９】
図９は、発明に係る易開封機能つきカップ型容器が四角形である実施態様の開封前の状態を具体的に説明するための斜視模式図である。
【００８０】
前述のように、本発明においては、切り欠き状の凹み（２３）から容器外側に突き出したタブ（１１）に設けられた穴（１２）に、棒状の器具、たとえば箸や、スプーンの柄などを差し入れて、引っ張ることも可能である。
【００８１】
図９に示す例においては、容器本体（２０）が四角形状の場合において、右手（６０）に持った棒（５０）を、穴（１２）に差し入れて、棒（５０）の先端を矢印（５９）方向に、および棒の根元を矢印（５８）方向に、突起（２５）を梃子の支点として、回転させて、開封する方法である。
【００８２】
この方法によれば、特に指の力の弱い人、或いは高齢者などのバリアフリーニーズにも対応することができる。
【００８３】
この穴（１２）は、あらかじめタブ（１１）を貫通して設けてある穴（１２）であっても良く、穴あけが可能な加工、たとえば、ハーフカットやミシン目加工によって形成した穴でもよい。
【００８４】
図１０は、本発明に係る易開封機能つきカップ型容器が四角形である実施態様の開封作業の状態を具体的に説明するための斜視模式図である。
【００８５】
図１０に示す状態に続いて、右手（６０）に持った棒（５０）によって、開封作業が行われ、棒（５０）を握ったまま、図１０中の矢印（６１）方向に蓋材（１０）と一緒に引き、カップ型容器（１００）の開封作業を容易に行なうことができる。
【００８６】
これにより、開口部（２８）は大きく露出して、内容物（４０）の取り出しが可能になる。蓋材（１０）は、容器本体（２０）から分離してもよく、あるいは、内容物（４０）の取り出しが可能なところで、一部が容器本体（２０）にシールされた状態にしておくのでもよい。
【００８７】
このようにして、本発明によれば、タブ（１１）付きの蓋材（１０）で密封された、カップ型容器（１００）において、タブ（１１）が摘みやすく、また摘めない場合でも開封可能な、易開封機能つきカップ型容器（１００）を提供することが可能である。
【００８８】
一方、タブ（１１）の形状については、前述のカップ型容器（１００）の開封に支障なく用いることができる限りにおいて、その形状は任意である。
【００８９】
図１１は、本発明に係る易開封機能つきカップ型容器のタブが、丸形状である例を説明するための斜視模式図である。
【００９０】
この形状は、たとえば図１、図７で用いた例に示したものであって、丸形状のタブ（１１）に、丸形状の穴（１２）を設けたものである。
【００９１】
図１２は、本発明に係る易開封機能つきカップ型容器のタブの穴が、ミシン目である例を説明するための斜視模式図である。
【００９２】
この形状は、たとえば図８で用いた例に示したものであって、丸形状のタブ（１１）に、丸形状のミシン目（１５）を設けたものである。これによって、穴は開封直前にミシン目（１５）を切り裂いて、タブ（１１）を貫通した穴（１２）として設けることができる。
【００９３】
図１３は、本発明に係る易開封機能つきカップ型容器のタブが、四角形状である例を説明するための斜視模式図である。
【００９４】
図１３に示す例のように、その形状は任意であって、タブ（１８）のように、丸形状に限らず四角形状であってもよい。
【００９５】
図１４は、本発明に係る易開封機能つきカップ型容器のタブが、三角形状である例を説明するための斜視模式図である。
【００９６】
図１４に示す例のように、その形状は任意であって、タブ（１９）のように、丸形状に限らず三角形状であってもよい。
【００９７】
また、図１１、図１３、図１４に示す例のように、タブの形状にかかわらず、穴（１２）を設けてある場合には、手指で摘んで開封しようとする場合にも、手指が滑りにくい効果がある。
【００９８】
続いて本発明による易開封機能つきカップ型容器（１００）に関して、その材料構成についてさらに説明を加える。
【００９９】
本発明による易開封機能つきカップ型容器（１００）の蓋材（１０）は金属箔もしくは無機化合物の蒸着層からなるガスバリア層を含む層構成とすることができる。
【０１００】
これは、たとえば内容物の保存性を向上させることなどを目的として、プラスチックフィルムの表面にガスバリア層を設けてなるガスバリアフィルムを蓋材（１０）の層構成中に用いることができる。
【０１０１】
あるいはアルミニウムなどの金属箔もガスバリア層として有効であるが、たとえば、電子レンジでの調理の可能性がある場合には、高周波によるスパークなどが発生するために注意を要する。
【０１０２】
ガスバリアフィルムの場合には、用いられるプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロン−６、ナイロン−６６等）、ポリイミドなどが使用でき、用途に応じて適宜選択される。特にポリプロピレン、ポリエチレンテレフタレートをプラスチックフィルム基材とする場合は、フィルム強度と価格においてより好ましい。
【０１０３】
ガスバリアフィルムの場合、ガスバリア層は無機化合物の蒸着層、コーティング層で構成することができ、プラスチックフィルムにアンカーコートを設けた後、蒸着層、コーティング層を順次設ける。
【０１０４】
ガスバリアフィルムのアンカーコート層には、例えばウレタンアクリレートを用いることができる。アンカーコート層の形成には、樹脂を溶媒に溶解した塗料をグラビアコーティングなど印刷手法を応用したコーティング方法を用いるほか、一般に知られているコーティング方法を用いて塗膜を形成することができる。
【０１０５】
蒸着層を形成する方法としては，ＳｉＯやＡｌＯなどの無機化合物を真空蒸着法を用いて、アンカーコート層を設けたプラスチックフィルム上にコーティングし、真空蒸着法による無機化合物層を形成することができる。
【０１０６】
コーティング層を形成する方法としては、水溶性高分子と、（ａ）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層を形成しコーティング層とすることができる。このときコーティング剤にはシランモノマーを添加しておくことによってアンカーコート層との密着の向上を図ることができる。
【０１０７】
無機化合物層は、真空蒸着法による塗膜のみでもガスバリア性を有するが、コーティング法による無機化合物層であるコーティング層を真空蒸着法による無機化合物層である蒸着層に重ねて形成し、ガスバリア層とすることができる。
【０１０８】
これら２層の複合により、真空蒸着法による無機化合物層とコーティング法による無機化合物層との界面に両層の反応層を生じるか、或いはコーティング法による無機化合物層が真空蒸着法による無機化合物層に生じるピンホール、クラック、粒界などの欠陥あるいは微細孔を充填、補強することで、緻密構造が形成される。
【０１０９】
そのため、ガスバリアフィルムとしてより高いガスバリア性、耐湿性、耐水性を実現するとともに、外力による変形に耐えられる可撓性を有する。
【０１１０】
またガスバリア層として、たとえばＳｉＯを用いる場合にはその被膜は透明であるために、内容物を蓋材（１０）の外側から目で見ることが可能である。
【０１１１】
このように、蓋材（１０）は、プラスチックフィルム、紙、金属箔などを単体または積層したもので構成することが可能である。プラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロン−６、ナイロン−６６等）、ポリイミドなどが使用でき、用途に応じて適宜選択される。
【０１１２】
特にポリプロピレン、ポリエチレンテレフタレートをプラスチックフィルムとする場合は、フィルム強度と価格においてより好ましい。そのほか延伸ポリアミドフィルムを用いる場合には、積層体に突き刺しに対する強靭性や、衝撃に対する強靭性を付与することができる。
【０１１３】
またプラスチックフィルムは、接着剤層を介して他の層と積層して積層体とすることができる。積層体の層構成やその材料構成、厚さなどは、要求品質に応じて、また選択的な機能付与のために、適宜設計することができる。
【０１１４】
蓋材（１０）と容器本体（２０）のシールは、たとえば蓋材（１０）の容器本体（２０）側の表面にシーラント層を設けて、シールしてカップ型容器（１００）を密封することができる。
【０１１５】
シーラント層の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。容器本体（２０）の材質などを考慮して、適宜選択することができる。
【０１１６】
シーラント層の形成には、押出機などを用いて溶融した樹脂を製膜して、蓋材（１０）の積層体上に層形成することができる。あるいは、あらかじめフィルムの状態に製膜して
ある材料を、ラミネートによって積層することによって、蓋材（１０）の積層体の表面にシーラント層を形成することも可能である。
【０１１７】
一方、本発明による易開封機能つきカップ型容器（１００）の容器本体（２０）は、プラスチック材料を成型して構成することができる。たとえば、ポリプロピレン、ポリエチレンなどのオレフィン系樹脂を用いることができ、そのほかにポリエチレンテレフタレートなども用いることもでき、それらの混合樹脂を用いることもできる。
【０１１８】
また容器本体（２０）を、複数の層で構成する場合には、ガスバリア層を層構成に含むか、もしくは表面に設けてある構成とすることができる。これは、蓋材（１０）の場合と同様に、たとえば内容物の保存性を向上させることなどを目的とする。
【０１１９】
たとえば、容器本体（２０）を構成する層中にエチレン・ビニルアルコール共重合樹脂をガスバリア層として設けることも有効であり、また容器本体（２０）に対してその表面に、ガスバリア性のある樹脂材料をコーティングして、ガスバリア層を形成するのでもよい。
【０１２０】
このようにして、本発明によればタブ付きの蓋材で密封された、カップ型容器において、タブが摘みやすく、また摘めない場合でも開封可能な、易開封機能つきカップ型容器を提供することが可能である。
【符号の説明】
【０１２１】
１・・・円形囲い
２・・・円形囲い
３・・・円形囲い
４・・・円形囲い
１０・・・蓋材
１１・・・タブ
１２・・・穴
１３・・・矢印
１５・・・ミシン目
１６・・・タブ
１７・・・タブ
１８・・・タブ
１９・・・タブ
２０・・・容器本体
２１・・・シール部
２３・・・切り欠き状の凹み
２４・・・フランジ
２５・・・凸部
２６・・・頂点
２７・・・端部
２８・・・開口部
２９・・・端部
３０・・・下端
４０・・・内容物
５０・・・棒
５１・・・矢印
５２・・・矢印
５４・・・矢印
５５・・・矢印
５６・・・矢印
５７・・・矢印
６０・・・手
１００・・・カップ型容器
Ｈ・・・高さ
Ｗ・・・凹みまでの距離
Ｅ・・・作用点
Ｆ・・・支点
Ｐ・・・力点
【図１】
2020097422.tif 000003
【図２】
2020097422.tif 000004
【図３】
2020097422.tif 000005
【図４】
2020097422.tif 000006
【図５】
2020097422.tif 000007
【図６】
2020097422.tif 000008
【図７】
2020097422.tif 000009
【図８】
2020097422.tif 000010
【図９】
2020097422.tif 000011
【図１０】
2020097422.tif 000012
【図１１】
2020097422.tif 000013
【図１２】
2020097422.tif 000014
【図１３】
2020097422.tif 000015
【図１４】
2020097422.tif 000016